(57)【要約】【課題】自然な風合いを有する乾式タイルを、プレス工法で作製出来、隣接配置される他の乾式タイルとの位置精度を、緩和しても、仕上がりに違和感が無く、良好な外観品質を得られる乾式タイル及び乾式タイルの製造方法を提供する。【解決手段】乾式タイル１０は、ベースの杯土として、含水率が、７〜９％となるように、調整された基材が用いられていて、杯土１２と異なる色彩の混合物としての黒色粒状体１３を含有することにより、湿式タイルのような自然に近い風合いを、醸し出す疑似湿式タイル意匠を有する意匠面１１ａが、形成されている。  そして、プレス成型により、意匠面１１ａには、水平方向に直交する縦方向に沿って、複数の縦溝部Ｃ，Ｃ１，Ｃ２…が、異なる寸法の溝幅ＷＣ１，ＷＣを有して、凹設形成され、縦溝部Ｃ，Ｃ１，Ｃ２…間に、異なる寸法の隆起幅ＷＤ１等が、形成されている。【選択図】図１
2008255742.tif 000002
【特許請求の範囲】
【請求項１】
水平方向に長尺状を呈する平板形状の意匠面を有して、該水平方向に直交する縦方向に沿って、複数の縦溝部を凹設形成することにより、該縦溝部間に凸部を形成した乾式タイルであって、
前記意匠面の側縁部には、前記隣接配置される凸部間で異なる傾斜角度を有するエッジ部が設けられていると共に、意匠面の前記凸部には、エグレ部が、不規則に形成されていて、前記縦溝部の溝幅及び前記凸部の隆起幅を相違させていることを特徴とする乾式タイル。
【請求項２】
前記意匠面には、シボ加工が施されて、光沢が除去されていることを特徴とする請求項１記載の乾式タイル。
【請求項３】
前記意匠面には、基材となるベースの生地色と異なる色彩の混合物を含有することにより、疑似湿式タイル意匠面を構成する多彩フレックス処理が施されていることを特徴とする請求項１又は２記載の乾式タイル。
【請求項４】
前記意匠面の角部は、面取り角Ｒ加工が施されていることを特徴とする請求項１乃至３のうち、何れか一項記載の乾式タイル。
【請求項５】
前記ベースの杯土の含水率を７〜９％としたことを特徴とする請求項１乃至４のうち、何れか一項記載の乾式タイル。
【発明の詳細な説明】
【技術分野】
【０００１】
本発明は、自然な風合いを有する乾式タイルで、特に、ベースの杯土の含水率が低くても、湿式タイルの質感を醸し出せる乾式タイル及び乾式タイルの製造方法に関するものである。
【背景技術】
【０００２】
従来、図５に示すような窯業係外壁材１,１の端部１ａ,１ｂ〜１ｇ,１ｈ同士の突き合わせ部分における合決り接合構造が知られている（例えば、特許文献１等参照。）。
【０００３】
このような従来の合決り接合構造では、窯業係外壁材１,１の端部１ａ,１ｂ〜１ｇ,１ｈ同士の突き合わせ部分が、例えば、図中Ｃに示される一部面取り角度部が出来る端部１ｅ,と、平坦面で面取り角度部が出来ない端部１ｆとを不規則的交互のランダムに配することにより、前記合決り接合部分Ａ〜Ｄで、様々な形状の組み合わせとすることが出来る。
【０００４】
次に、この従来の合決り接合構造の作用効果について説明する。
【０００５】
このように構成された従来の合決り接合構造では、前記合決り接合部分Ａ〜Ｄが、様々な形状の端部１ａ,１ｂ〜１ｇ,１ｈの組み合わせとなるので、合決り部の線状の突き合わせラインが、目立たなくなる。
【０００６】
また、他のこの種のタイル風外壁、サイディング外壁に関しての製造方法等も知られている（例えば、特許文献２，３，４，５等参照）。
【０００７】
更に、タイルの基材の材質が、「フライアッシュバルーン（中空発泡体）」であるものも知られている（例えば、特許文献６等参照）。
【特許文献１】実用新案登録第３１２４０９０号公報（段落０００７乃至００１３、図１，図２,図３）
【特許文献２】特許公開平０７−２４７６５３号公報
【特許文献３】特許公開平０８−１２８１６５号公報
【特許文献４】特許公開平１１−３３６２９７号公報
【特許文献５】特許公開２００２−０２１２９０号公報
【特許文献６】特許公開２００６−０１６９３６号公報
【発明の開示】
【発明が解決しようとする課題】
【０００８】
しかしながら、このような従来の合決り接合構造では、ベースとなる杯土の含水率が、２０〜２５％と多い湿式タイルの製造方法では、プレス工法独自の制限から、凹凸の深さに制約を生じて、高精度の自然な風合いを有する乾式タイルを作製することが、困難であった。
【０００９】
また、乾式タイルでは、湿式タイルの持つ風合いと比較して、形状が簡素で、意匠面の仕上がりが、明確で無機質な硬さを感じる光沢を有するものとなってしまい、自然な風合いを醸し出すことが出来なかった。
【００１０】
更に、タイル外壁の接着貼工法においては、建物の壁面等の鉛直面に、接着材若しくはモルタル等で、圧着施工をした場合、その垂直基調から段差、ズレ等が目立ってしまうといった問題もあった。
【００１１】
そして、意匠面の仕上がりが、光沢を有すると、タイル表面のヒビ、欠けわれが目立ちやすく歩留まりが、良好であるとは言い難かった。
【００１２】
また、所望の寸法にカットした場合等に、カット小口が目立ってしまい、外観品質が良好でなくなる虞もあった。
【００１３】
さらに、複数枚の前記タイルを、規則的に一枚のパネル上に並べるパネル工法に、適用すると、隣接配置されるタイルの位置に視線が行くので、前記パネル同士も、高精度で設置する必要があった。
【００１４】
そこで、この発明は、自然な風合いを有する乾式タイルを、プレス工法で作製出来、隣接配置される他の乾式タイルとの位置精度を、緩和しても、仕上がりに違和感が無く、良好な外観品質を得られる乾式タイル及び乾式タイルの製造方法を提供することを課題としている。
【課題を解決するための手段】
【００１５】
上記目的を達成するために、請求項１に記載された発明は、水平方向に長尺状を呈する平板形状の意匠面を有して、該水平方向に直交する縦方向に沿って、複数の縦溝部を凹設形成することにより、該縦溝部間に凸部を形成した乾式タイルであって、前記意匠面の側縁部には、前記隣接配置される凸部間で異なる傾斜角度を有するエッジ部が設けられていると共に、意匠面の前記凸部には、エグレ部が、不規則に形成されていて、前記縦溝部の溝幅及び前記凸部の隆起幅を相違させている乾式タイルを特徴としている。
【００１６】
また、請求項２に記載されたものは、前記意匠面には、シボ加工が施されて、光沢が除去されている請求項１記載の乾式タイルを特徴としている。
【００１７】
更に、請求項３に記載されたものは、前記意匠面には、基材となるベースの生地色と異なる色彩の混合物を含有することにより、疑似湿式タイル意匠面を構成する多彩フレックス処理が施されている請求項１又は２記載の乾式タイルを特徴としている。
【００１８】
そして、請求項４に記載されたものは、前記意匠面の角部は、面取り角Ｒ加工が施されている請求項１乃至３のうち、何れか一項記載の乾式タイルを特徴としている。
【００１９】
また、請求項５に記載されたものは、前記ベースの杯土の含水率を７〜９％とした請求項１乃至４のうち、何れか一項記載の乾式タイルを特徴としている。
【発明の効果】
【００２０】
このように構成された請求項１記載の乾式タイルでは、前記意匠面の側縁部に形成されたエッジ部が、隣接配置される凸部間で異なる傾斜角度を有するので、該乾式タイルに隣接配置される他の乾式タイルとの間の段差を視覚的に緩和させることができる。
【００２１】
また、前記隣接配置される凸部間で異なる傾斜角度を有するエッジ部が設けられていると共に、意匠面の前記凸部には、エグレ部が、隣接配置されていて、前記縦溝部の溝幅及び前記凸部の隆起幅を相違させている。
【００２２】
このため、陰影が、規則性を有すること無く、不均一なものとなり、隣接配置される他のタイルとの段差が、更に緩和される。
【００２３】
しかも、意匠面の前記凸部には、エグレ部が、不規則に形成されていて、前記意匠面の側縁部に形成された異なる傾斜角度を有するエッジ部と共に、意匠面のヒビ、欠け、われが目立ちにくく、歩留まりを向上させることが出来ると共に、自然の風合いを醸し出すことが出来る。
【００２４】
また、請求項２に記載されたものは、前記意匠面に施されたシボ加工によって、光沢が除去されている。
【００２５】
このため、更に、自然の風合いを醸し出すことが出来る。
【００２６】
更に、請求項３に記載されたものは、前記意匠面に施された多彩フレックス処理が、基材となるベースの生地色と異なる色彩の混合物を含有することにより、疑似湿式タイル意匠面が構成されている。
【００２７】
このため、意匠面が、多彩フレックス処理によって、異なる色彩の混合物を一部露出させて、疑似湿式タイル意匠面が構成されているので、更に、自然の風合いを醸し出すことができる。
【００２８】
そして、請求項４に記載されたものは、前記意匠面の角部に施された面取り角Ｒ加工によって、複数の乾式タイルを配列した際の規則感が緩和されて、より自然な風合いを醸し出すことができる。
【００２９】
また、請求項５に記載されたものは、前記ベースの杯土の含水率が７〜９％とされているので、プレス成型により、乾式タイルを成型する際にも、意匠面の精度を高精度なものとすることができる。
【発明を実施するための最良の形態】
【００３０】
次に、図面に基づいて、この発明を実施するための最良の実施の形態の乾式タイル及び乾式タイルの製造方法について、説明する。なお、前記従来例と同一乃至均等な部分については、同一符号を付して説明する。
【実施例１】
【００３１】
図１乃至図４は、この発明の実施の形態の実施例１の乾式タイル及び乾式タイルの製造方法を示している。
【００３２】
まず、この乾式タイルの構成から説明すると、この実施の形態では、複数枚の乾式タイル１０…が、図３及び図４に示すように、一枚の外壁ボード９に、所定の間隙を置いて、目地部９ａ…を形成しながら、配列されている。
【００３３】
この乾式タイル１０は、前記ベースの杯土として、含水率が、７〜９％となるように、調整された基材が用いられていて、図４に示すように、杯土１２と異なる色彩の混合物としての黒色粒状体１３を含有することにより、湿式タイルのような自然に近い風合いを、醸し出す疑似湿式タイル意匠を有する意匠面１１ａが、形成されている。
【００３４】
そして、図示省略の型枠内で、プレス成型されることにより、この乾式タイル１０には、前記外壁ボード９に、略平坦な裏面側が接着された状態で、表面側の外側方に前記意匠面１１ａを有している。
【００３５】
この乾式タイル１０は、建物外壁部への装着状態で、水平方向に長手方向を沿わせる長尺状を呈して、縦幅寸法Ｈを、水平方向寸法Ｌに比して、幅狭（Ｈ＜Ｌ）とする平板形状を呈している。
【００３６】
この意匠面１１ａには、水平方向に直交する縦方向に沿って、複数の縦溝部Ｃ，Ｃ１，Ｃ２…が、凹設形成されることにより、これらの縦溝部Ｃ，Ｃ１，Ｃ２…間に、凸部Ｄ，Ｄ１，Ｄ２…が、形成されている。
【００３７】
この実施例１では、前記隣接配置される縦溝部Ｃ１，Ｃ２が、異なる寸法を有して、溝幅ＷＣ１，ＷＣ２等を相違させている。
【００３８】
また、これらの縦溝部Ｃ１，Ｃ２，Ｃ３間に形成されている、凸部Ｄ１，Ｄ２…が、異なる寸法を有して、隆起幅ＷＤ１，ＷＤ２及びＷＤ３，ＷＤ４等を相違させている。
【００３９】
前記意匠面１１の側縁部１１ａ，１１ａ及び１１ｂ，１１ｂには、例えば、前記隣接配置される凸部Ｄ１，Ｄ２間で、異なる傾斜角度α１，α２を有するエッジ部１４，１５が設けられていると共に、意匠面１１の前記各凸部Ｄ，Ｄ１〜，Ｄ４，Ｄ５には、複数のエグレ部Ｅ…が、不規則に凹設形成されている。
【００４０】
この実施例１では、図１に示すように、前記水平方向に隣接配置される各凸部Ｄ３〜Ｄ５には、水平方向に略同一位置となるように、前記エグレ部Ｅ１，Ｅ２，Ｅ３が、水平方向に直線状に連続形成されている。
【００４１】
更に、この実施例１では、前記意匠面１１は、シボ加工Ｇが施されて、光沢が除去されている。
【００４２】
また、前記意匠面１１の四隅に位置する角部１１ｃ…には、面取り角Ｒ加工Ｆ…が施されている。この実施例１では、曲率半径Ｒ＝約２ｃｍとなるように設定されている。
【００４３】
次に、この実施例１の乾式タイル及び乾式タイルの製造方法の作用効果について、説明する。
【００４４】
この実施例１では、前記乾式タイル１０の意匠面１１の側縁部１１ａに位置する凸部Ｄ１，Ｄ２の各端縁に形成されたエッジ部１４，１５が、図２に示すように、隣接配置される凸部Ｄ１，Ｄ２間で、異なる傾斜角度α１，α２を有していて、不規則側縁部Ａ…が形成されている。
【００４５】
このため、前記乾式タイル１０に隣接配置される他の乾式タイル１０との間の段差Ｊに、相違する位置に形成される太陽光ＳＵの陰影Ｓ１４，Ｓ１５によって、不規則感が与えられて、例えば、図２中二点鎖線で示す位置から、実線で示すように部分的に下げて、視覚的に緩和させることができる。
【００４６】
更に、この実施例１では、図２に示すように、前記隣接配置される凸部Ｄ１，Ｄ２間で異なる傾斜角度α１，α２を有するエッジ部１４，１５が、設けられていると共に、図１及び図４に示すように、意匠面１１の前記凸部Ｄ，Ｄ１等には、エグレ部Ｅ，Ｅ１等が、隣接配置されていて、しかも、前記縦溝部Ｃ，Ｃ１，Ｃ２等の溝幅ＷＣ１，ＷＣ２及び前記凸部Ｄ，Ｄ１，Ｄ２の隆起幅ＷＤ１，ＷＤ２及びＷＤ３，ＷＤ４を相違させている。
【００４７】
このため、更に、図２に示すように、陰影Ｓが、規則性を有すること無く、不均一なものとなり、隣接配置される他の乾式タイル１０との段差Ｊが、更に緩和される。
【００４８】
しかも、意匠面１１の前記凸部Ｄ，Ｄ１等には、図１に示すように、部分的なエグレ部Ｅ，Ｅ１等が、不規則に形成されている。
【００４９】
このため、前記意匠面の側縁部に形成された異なる傾斜角度を有するエッジ部と共に、凹凸の変化量が増大して、従来の平坦な凸部上面では、目立つといった問題があった意匠面１１のヒビ、欠け、われが、目立ちにくく、歩留まりを向上させることが出来ると共に、自然の風合いを醸し出すことが出来る。
【００５０】
また、前記意匠面１１には、略全面に渡りシボ加工Ｇが施されていて、光沢が除去されている。
【００５１】
このため、更に、自然の風合いを醸し出すことが出来る。
【００５２】
更に、図４に示すように、前記意匠面１１に施された多彩フレックス処理が、基材となるベースの生地色（例えば、乳白色）と異なる色彩（例えば、黒色）の混合物である黒色粒状体１３を含有することにより、疑似的に、湿式タイル意匠面と同等の外観品質を有する乾式タイルの意匠面１１が構成されている。
【００５３】
このため、意匠面１１が、多彩フレックス処理によって、異なる色彩の黒色粒状体１３…混合物を一部露出させて、目視可能に前記意匠面１１が構成されているので、更に、自然の風合いが醸し出されている。
【００５４】
そして、前記意匠面１１の角部１１ｃ…に施された面取り角Ｒ加工によって、複数の乾式タイル１０…が、図３に示すように、一定の間隔の目地部９ａ…を有して、配列された際にも、規則感が緩和されて、より自然な風合いを醸し出すことができる。
【００５５】
また、前記ベースの杯土の含水率が７〜９％とされているので、プレス成型により、乾式タイル１０…が成型される際にも、型抜き時に欠落等の成型ミスが、発生しにくい。
【００５６】
このため、更に、前記エグレ部Ｅ，Ｅ１，Ｅ２，Ｅ３の凹凸深さや、エッジ部１４，１５の傾斜角度α１，α２の設定の自由度を向上させて、意匠面１１を、更に、自然の風合いを醸し出すように、設定できる。
【００５７】
また、この実施例１では、図１に示すように、前記水平方向に隣接配置される各凸部Ｄ３〜Ｄ５には、水平方向に略同一位置となるように、前記エグレ部Ｅ１，Ｅ２，Ｅ３が、水平方向に直線状に連続形成されている。
【００５８】
このため、建物の外壁部に、この外壁ボード９が装着された状態で、各縦溝部Ｃ，Ｃ１，Ｃ２，Ｃ３…が、整列状態となっても、これらのエグレ部Ｅ１，Ｅ２，Ｅ３が、水平方向に直線状に連続形成されているため、あたかも横溝部が形成されているように、視覚的に認識されて、更に、自然な風合いを醸し出すことができる。
【００５９】
しかも、プレス成型により、乾式タイル１０…が成型されるので、前記意匠面１１の四隅に位置する角部１１ｃ…に、面取り角Ｒ加工Ｆ…が、曲率半径Ｒ＝約２ｃｍによって、容易に施される。このため、図３及び図４に示すように、規則的に前記乾式タイル１０…を配列する際にも、寸法管理を容易に行うことができる。
【００６０】
以上、図面を参照して、本発明の実施の形態及び実施例１を詳述してきたが、具体的な構成は、この実施の形態に限らず、本発明の要旨を逸脱しない程度の設計的変更は、本発明に含まれる。
【００６１】
即ち、前記実施の形態の実施例１では、乳白色のベースの杯土を用いて、意匠面１１に、複数の異なる寸法の溝幅ＷＣ１，ＷＣ２を有する縦溝部Ｃ，Ｃ１，Ｃ２…が、凹設形成されることにより、これらの縦溝部Ｃ，Ｃ１，Ｃ２…間に、異なる寸法の隆起幅ＷＤ１，ＷＤ２及びＷＤ３，ＷＤ４…を有する凸部Ｄ，Ｄ１，Ｄ２…が、形成されているが、特にこれに限らず、例えば、茶色若しくは灰色等他の色彩の杯土等を用いても良く、乾式タイル１０の意匠面１１の形状、数量及び材質が、特に限定されるものではない。
【図面の簡単な説明】
【００６２】
【図１】この発明の最良の実施の形態の実施例１の乾式タイル及び乾式タイルの製造方法で、タイルの意匠面を説明する正面図である。
【図２】実施の形態の実施例１の乾式タイル及び乾式タイルの製造方法で、（ａ）は、乾式タイルの凸部の傾斜角度の相違による陰影の変化を説明する模式的な部分斜視図、（ｂ）は、（ａ）のＰ−Ｐ線に沿った位置での端面図である。
【図３】実施の形態の実施例１の乾式タイル及び乾式タイルの製造方法で、建物の外壁部に、乾式タイルを複数装着した外壁ボードを貼設した様子を示す斜視図である。
【図４】実施の形態の実施例１の乾式タイル及び乾式タイルの製造方法で、特にエグレ部を説明する乾式タイルの意匠面の正面図である。
【図５】従来例の乾式タイル及び乾式タイルの製造方法で、一対の窯業系外壁材の各部Ａ〜Ｄにの断面図である。
【符号の説明】
【００６３】
９          外壁ボード
９ａ        目地部
１０        乾式タイル（タイル）
１１        意匠面
１１ａ，１１ｂ  側縁部
１１ｃ…    角部
１２        杯土（ベース）
１３        黒色粒状体（多彩フレックス処理の混合物）
１４        エッジ部
Ａ…        不規則側縁部
Ｃ，Ｃ１，Ｃ２，Ｃ３  縦溝部
Ｄ，Ｄ１，Ｄ２，Ｄ３，Ｄ４，Ｄ５  凸部
Ｅ，Ｅ１，Ｅ２，Ｅ３          エグレ部
Ｆ          面取り角Ｒ加工
Ｇ          シボ加工
【図２】
2008255742.tif 000003
【図５】
2008255742.tif 000004
【図１】
2008255742.tif 000005
【図３】
2008255742.tif 000006
【図４】
2008255742.tif 000007